(57)【要約】【課題】連続発光スイッチのオン・オフにより発光ユニットへ電源供給入切りしてムービー撮影用照明として好適に使用でき、またシャッター動作、カメラの閃光等に連係して発光ユニットＵがフラッシュ発光するためスチール撮影用照明として好適に使用でき、一台の装置でムービー撮影とスチール撮影において、それぞれの必要機能を損なうことなく便利に兼用できるカメラ用照明装置を提供する。【解決手段】複数の発光ダイオードを具える発光ユニットと、オン・トリガー信号を発生するトリガー部と、前記オン・トリガー信号を受けて前記発光ユニットに電源供給を開始し、かつその後一定時間経過後に電源供給を遮断するフラッシュ発光スイッチ部と、前記フラッシュ発光スイッチ部と並列に接続され、オン・オフにより前記発光ユニットへの電源供給を操作できる連続発光スイッチとを具えることを特徴とする。【選択図】  図１
2005017389.tif 000002
【特許請求の範囲】
【請求項１】
複数の発光ダイオードを具える発光ユニットと、
オン・トリガー信号を発生するトリガー部と、
前記オン・トリガー信号を受けて前記発光ユニットに電源供給を開始し、かつその後一定時間経過後に電源供給を遮断するフラッシュ発光スイッチ部と、
前記フラッシュ発光スイッチ部と並列に接続され、オン・オフにより前記発光ユニットへの電源供給を操作できる連続発光スイッチとを具えることを特徴とするカメラ用照明装置。
【請求項２】
前記トリガー部は、カメラのシャッター動作に連係して第１のオン・トリガー信号を発生する第１のトリガー部を含むことを特徴とする請求項１記載のカメラ用照明装置。
【請求項３】
前記トリガー部は、カメラが発する閃光を受け、第２のオン・トリガー信号を発生する第２のトリガー部を含むことを特徴とする請求項１又は２記載のカメラ用照明装置。
【請求項４】
前記フラッシュ発光スイッチ部は、遅延回路と、オンスイッチ回路と、オフスイッチ回路とを具え、
前記オンスイッチ回路は、常時はオフ、かつオン・トリガー信号を受けオンとなり、
前記遅延回路は、発光ユニットへの電源供給の開始から一定時間後にオフ・トリガー信号を発生し、
前記オフスイッチ回路は、常時はオン、かつオフ・トリガー信号を受けてオフとなることを特徴とする請求項１〜３のいずれかに記載のカメラ用照明装置。
【請求項５】
前記第２のトリガー部は、光センサーと、光センサーの出力をハイパスするハイパスフィルター回路とを具えることを特徴とする請求項３又は４記載のカメラ用照明装置。
【発明の詳細な説明】
【０００１】
【発明の属する技術分野】
本発明は、スチール撮影に適したフラッシュ発光とムービー撮影に適した連続発光とが可能なカメラ用照明装置に関する。
【０００２】
【従来の技術】
従来、撮影用の照明装置として、主にストロボ照明と白熱球照明とが使用されいた。ストロボ照明の中でもキノセンランプは高照度、長寿命のため多く用いらている。しかし、ストロボ照明は図６（Ａ）に示すように、その発光時間は半値幅Ｔａで２０〜３０μｓ程度と非常に短かく、連続発光はできない。またストロボに印加する通常３００Ｖ以上の高電圧を得るためＤＣ／ＤＣコンバータなどの昇圧回路、大容量のコンデンサ等を必要としていた。さらに前記大容量のコンデンサの充電に時間がかかるため、ストロボ照明は、撮影の間隔が長くなり、シャッターチャンスを逃すという問題があった。一方白熱球照明は、図６（Ｂ）に示すように、スイッチオンから最大光量に到る立上げ時間Ｔｂが５０〜５００ｍｓ程度と非常に長いため、主にムービー撮影に用いられている。白熱球照明をスチール撮影に使用する時は、撮影の前後に連続発光させる必要があり、電力を無駄に消費するという問題があった。
【０００３】
近年、写真フィルムの感度が向上してＩＳＯ８００〜１６００等の高感度フィルムが普及するとともに、デジタルカメラに使用されるＣＣＤ等撮影素子の感度が高まり、被写体の照明に従来のストロボのような大光量が必要でなくなってきた。他方、発光ダイオード（ＬＥＤ）は、輝度が向上し、しかも光の３原色である赤色、緑色および青色をはじめ、白色の発光ダイオードも普及し、各種の照明に使用されている。
【０００４】
発光ダイオードを使用した撮影用の照明装置として、図７に示すように、第１の電気回路ａに接続された白色発光ダイオードｂと、第２の電気回路ｃに接続された赤外線発光ダイオードｄとを印刷回路基板上に同一方向に向け配置し、第１、第２の電気回路ａ、ｃは、制御信号ｅによりコントロールされた切り換えスイッチｆにより選択的に電源ｇに接続されるものが提案されている。この照明装置では、切り換えスイッチｆの操作で、白色発光ダイオードｂによる可視光照明と、赤外線発光ダイオードｄによる赤外線照明を１台の照明装置で行なうことができる（特許文献１）。しかしながら、写真撮影する際、予め電気回路をオンにし、発光状態で撮影する操作を必要とするため、緊急時のシャッターチャンスを逃す可能性があり、電源を必要以上に消費しバッテリー等の寿命を短くする。
【０００５】
また、シャッター操作に連動して発光ダイオードの電源を入切する機構を採用し、シャッターが開口している間発光するものが提案されている（特許文献２）。しかしながら、この機構では、ムービー撮影等で予め被写体を照明した状態で撮影を行なうことが不可能である。
【０００６】
【特許文献１】
特開２０００−８９３１８号公報
【特許文献２】
特開２００２−２０７２３６号公報（段落「００２０」）
【発明が解決しようとする課題】
本発明は、以上のような問題点に鑑み案出なされたもので、発光ダイオードを使用し、選択によりスチール撮影に適したフラッシュ発光と、ムービー撮影に適した連続発光とが可能なカメラ用照明装置を提供することを目的とするものである。
【０００７】
【課題を解決するための手段】
本発明のうち請求項１記載の発明は、複数の発光ダイオードを具える発光ユニットと、オン・トリガー信号を発生するトリガー部と、前記オン・トリガー信号を受けて前記発光ユニットに電源供給を開始し、かつその後一定時間経過後に電源供給を遮断するフラッシュ発光スイッチ部と、前記フラッシュ発光スイッチ部と並列に接続され、オン・オフにより前記発光ユニットへの電源供給を操作できる連続発光スイッチとを具えることを特徴とする。
【０００８】
請求項２記載の発明は、前記トリガー部は、カメラのシャッター動作に連係して第１のオン・トリガー信号を発生する第１のトリガー部を含み、請求項３記載の発明は、前記トリガー部は、カメラが発する閃光を受け、第２のオン・トリガー信号を発生する第２のトリガー部を含むことを特徴とする。
【０００９】
請求項４記載の発明は、前記フラッシュ発光スイッチ部は、遅延回路と、オンスイッチ回路と、オフスイッチ回路とを具え、前記オンスイッチ回路は、常時はオフ、かつオン・トリガー信号を受けオンとなり、前記遅延回路は、発光ユニットへの電源供給の開始から一定時間後にオフ・トリガー信号を発生し、前記オフスイッチ回路は、常時はオン、かつオフ・トリガー信号を受けてオフとなることを特徴とする。
【００１０】
請求項５記載の発明は、前記第２のトリガー部は、光センサーと、光センサーの出力をハイパスするハイパスフィルター回路とを具えることを特徴とする。
【００１１】
【発明の実施の形態】
以下本発明の実施の一形態を図面に基づき説明する。図１は本発明のカメラ用照明装置１をスチールカメラＣと組合わせた状態のブロック図であり、図２はカメラ用照明装置１をスチールカメラＣに装着した状態を例示する斜視図であり、図３はカメラ用照明装置１をスチールカメラＣと離して使用する状態を例示する概略図である。
【００１２】
本発明のカメラ用照明装置１は、図１に示すように、発光ユニットＵと、オン・トリガー信号８を発生するトリガー部ＴＲと、前記発光ユニットＵと電源Ｂとの間に接続されたフラッシュ発光スイッチ部２と、前記フラッシュ発光スイッチ部２と並列に接続された連続発光スイッチＳ１とを具える。
【００１３】
前記発光ユニットＵは、通常１００〜４００個の発光ダイオードＤからなり、使用する発光ダイオードＤの数を増減して必要光量を得ることができる。
【００１４】
前記トリガー部ＴＲは、外部からの入力を受け、フラッシュ発光の誘引となるオン・トリガー信号８を発生する。本例では、第１のトリガー部ＴＲ１と、第２のトリガー部ＴＲ２とを含む。
【００１５】
前記第１のトリガー部ＴＲ１は、図２に示すように、カメラＣのシンクロ接点に接続したケーブル２０を介してシャッター動作に同期したシャッター信号１０を受け、これに連係して第１のオン・トリガー信号８ａを発生する。
【００１６】
前記第２のトリガー部ＴＲ２は、光センサー６と、ハイパスフィルター回路７とを具える。前記光センサー６は、外部光により信号を発信し、前記ハイパスフィルター回路７は、前記信号のうち、立上りの鈍い通常の照明光等に対する信号をカットし、内蔵ストロボ等でカメラＣが発する閃光による信号をハイパスする。第２のトリガー部ＴＲ２は、前記ハイパスフィルター回路でこの選択された閃光による信号に連係して、前記第２のオン・トリガー信号８ｂを発生する。
【００１７】
前記フラッシュ発光スイッチ部２は、電源Ｄと発光ユニットＵの間に直列に接続されたオンスイッチ回路４と、オフスイッチ回路５とを具え、更に遅延回路３を有する。前記オンスイッチ回路４は常時はオフ状態を維持し、前記オフスイッチ回路５は常時はオン状態を維持する。そして前記オンスイッチ回路４は、オン・トリガー信号８を受けて回路を閉じ、前記発光ユニットＵは電源供給されて、発光を開始する。
【００１８】
また前記遅延回路３は、前記オンスイッチ回路４による発光ユニットＵへの電源供給開始の後、一定の遅延時間後にオフ・トリガー信号９を発生する。なお前記遅延時間は、通常１００〜５００ｍｓ程度に設定される。前記オフスイッチ回路５は、前記オフ・トリガー信号９を受けてオフに切替わり発光ユニットＵへの電源供給が停止し発光が終わる。従って、前記オン・トリガー信号８を受けて、オンスイッチ回路４がオンした後、オフ・トリガー信号９を受けてオフスイッチ回路５がオフする迄の前記一定時間発光ユニットＵがフラッシュ発光する。この後、前記オンスイッチ回路４、オフスイッチ回路５は各々はオフ、オンの常態に復帰する。
【００１９】
しかして、前記連続発光スイッチＳ１を閉じると、図５（Ａ）に示すように、電源が供給され発光ユニットＵが連続発光する。連続発光スイッチＳ１をオン・オフすることにより発光ユニットＵへの電源供給の入り切りを操作でき、ムービー撮影用照明として好適に使用できる。また連続発光スイッチＳ１がオフ状態で、シャッター動作、カメラの閃光等に連係してオン・トリガー信号８が発生すると、図５（Ｂ）に示すように、発光ユニットＵがフラッシュ発光するためスチール撮影用照明として好適に使用できる。このように、本発明のカメラ用照明装置１は、一台の装置でムービー撮影とスチール撮影の双方の照明として、それぞれの必要機能を損なうことなく便利に兼用できる。
【００２０】
また前記第２のトリガー部ＴＲ２のハイパスフィルター回路７は、立上りの鈍い一般照明等により光センサーが発生する信号をカットし、カメラＣが発生する閃光が選択されてフラッシュ発光するため、誤発光がない。
【００２１】
図２は、カメラ用照明装置１をスチールカメラＣにアダプタ２１を介して装着した使用状態を例示する。カメラ用照明装置１の上部に連続発光スイッチＳ１、メインスイッチＭＳを取付け、側部に光センサー６を設けている。本例では、カメラ用照明装置１下部に電源Ｂ内蔵したグリップを一体に装着しているが、前記装置１に蓄電池を内蔵してもよく、またアダプターを介してＡＣ電源から給電してもよい。
【００２２】
図３は、スタンド２２によりカメラ用照明装置１をスチールカメラＣから離して配置し、スチールカメラＣの内蔵ストロボの閃光を光センサー６で受光し、違方向より被写体２３を照明している状態を例示している。
【００２３】
つぎに、本発明に使用する駆動回路の一実施例を図４に基づいて説明する。前記発光ダイオードＤは、例えば２〜３個、直列に接続してダイオード列が形成される。また該ダイオード列は、通常５０〜２００個、並列に接続して発光ユニットＵが形成される。また一つのダイオード列を構成する各発光ダイオードＤは発光ユニットＵ内で分散して配置され、一つの発光ダイオードＤが故障し、これを含むダイオード列の発光が停止しても、特定領域の発光が消えることがなく、全体の輝度がわずかに低下するだけに止まる点で好ましい。各ダイオード列は、発光ダイオードＤに定電流を流すためＣＲＤ（定電流ダイオード）が直列に接続されている。
【００２４】
前記発光ユニットＵのアノードは、電源の＋端子に接続され、カソードは連続発光スイッチＳ１を介して電源の−端子に接続されている。従って、前記連続発光スイッチＳ１は、これをオン・オフすることにより発光ユニットＵへの電源供給を制御し、前記発光ユニットＵの発光を操作できる。
【００２５】
前記第１のトリガー部ＴＲ１は、第１のフォトカプラＰＣ１の発光素子を含んで構成される。通常フォトカプラは発光素子（発光ＬＥＤ）と受光素子（フォトトランジスタ）とからなり、一つのパッケージ内に組み込まれているが、図４の回路図では、便宜上両者を離して図示している。前記第１のフォトカプラＰＣ１の発光素子のアノードは抵抗Ｒ１を介して電源の＋端子１０に接続され、カソードは前記シャッタースイッチＳ２を介して電源の−端子１１に接続される。前記シャッタースイッチＳ２が、カメラＣのシャッター作動に基づく出力をシンクロ接点を介して受信しオンすると、第１のフォトカプラＰＣ１の発光素子が、第１のオン・トリガー信号８ａである光信号を発信する。
【００２６】
前記第２のトリガー部ＴＲ２は、光センサー６を構成するフォトトランジスタＰＴと、第２のフォトカプラＰＣ２の発光素子と、ハイパスフィルター回路７とを含み構成される。前記フォトトランジスタＰＴのコレクタは＋端子１０に接続され、エミッタは前記ハイパスフィルター回路７に接続されている。また前記第２のフォトカプラＰＣ２の発光素子のアノードは抵抗Ｒ５を介して＋端子１０に接続され、カソードは前記ハイパスフィルター回路７に接続されている。
【００２７】
前記ハイパスフィルター回路７は、トランジスタＴと、前記トランジスタＴのベースと前記フォトトランジスタＰＴのエミッタ間に接続されたコンデンサＣ２と、抵抗Ｒ３、Ｒ４とからなる。前記フォトトランジスタＰＴがカメラＣのストロボ等が発する立上げの速い閃光を受ける時は、トランジスタＴのベースに電流が流れて前記第２のフォトカプラＰＣ２の発光素子は第２のオン・トリガー信号８ｂである光信号を発信する。しかし、一般照明等立上げの遅い光に対しては、ベースに電流が印加することなく、前記第２のオン・トリガー信号８ｂは発信されない。
【００２８】
前記フラッシュ発光スイッチ部２は、オンスイッチ回路４と、オフスイッチ回路５と、遅延回路３とを含み構成される。前記オンスイッチ回路４は、前記第１のフォトカプラＰＣ１の受光素子と、第２のフォトカプラＰＣ２の受光素子と、前記双方の受光素子のエミッタに接続されるサイリスタ１４とを含んで構成される。前記第１、第２のフォトカプラＰＣ１、ＰＣ２の受光素子は、前記第１、第２のオン・トリガー信号８ａ、８ｂを受信して、電流が流れる。該電流が印加することにより前記サイリスタ１４は、オンとなり、これにより、前記発光ユニットＵのカソードと電源の−端子との間の回路が閉じて発光ユニットＵが発光する。
【００２９】
前記遅延回路３は、第３のフォトカプラＰＣ３の発光素子と、該第３のフォトカプラＰＣ３のアノードと＋端子間に接続された第１のインバータＩ１、第２のインバータＩ２及び抵抗Ｒ７と、カソードと＋端子間に接続された抵抗Ｒ８、コンデンサＣ３とを含み構成される。しかして、前記遅延回路３において、第３のフォトカプラＰＣ３の発光素子は、第１、第２のフォトカプラＰＣ１、ＰＣ２の何れかが作動した後、コンデンサＣ３に一定の電荷が蓄積されることにより第１のインバータＩ１、第２のインバータＩ２を通電しうる電圧レベルに達する迄の時間遅れて電流が印加し、オフ・トリガー信号９である光信号を発信する。
【００３０】
前記オフスイッチ回路５は、前記第３のフォトカプラＰＣ３の受光素子と、該受光素子のコレクタに接続されるＦＥＴ１３とを含み構成される。しかして、前記第３のフォトカプラＰＣ３の受光素子は、前記オフ・トリガー信号９を受信して電流が流れ、これにより、それまで抵抗Ｒ９、抵抗Ｒ１０により分圧されＦＥＴ１３のゲート（Ｇ）に印加していた電圧が減少する。この変化に基づき前記ＦＥＴ１３がオフとなり、発光ユニットＵの発光が停止する。
【００３１】
以上説明した駆動回路は、カメラ用照明装置１に使用しえる回路の一実施例であり、本発明は、これに何ら限定されるものでない。
【００３２】
【発明の効果】
上述したように、本発明は発光ユニットと、オン・トリガー信号を発生するトリガー部と、フラッシュ発光スイッチ部と、前記フラッシュ発光スイッチ部と並列に接続される連続発光スイッチとを具えるため、連続発光スイッチにより発光ユニットＵへの電源供給を操作して、ムービー撮影用照明として使用できるとともに、シャッター動作、カメラの閃光等に連係して発光ユニットＵがフラッシュ発光するためスチール撮影用照明としても使用でき、一台でムービー撮影とスチール撮影の双方の照明装置として、それぞれの必要機能を損なうことなく便利に兼用できる。
【図面の簡単な説明】
【図１】本発明の一実施形態を例示するブロック図である。
【図２】本発明の一実施形態をカメラに装着した状態を例示する斜視図である。
【図３】本発明の一実施形態をカメラと離して使用する状態を例示する概略図である。
【図４】本発明の一実施形態に使用する駆動回路を例示する回路図である。
【図５】（Ａ）は連続発光の状態を例示するグラフ、（Ｂ）はフラッシュ発光の状態を例示するグラフである。
【図６】（Ａ）はストロボ照明の発光状態を例示するグラフ、（Ｂ）は白熱球照明の発光状態を例示するグラフである。
【図７】従来例を例示する回路図である。
【符号の説明】
１      カメラ用照明装置
２      フラッシュ発光スイッチ部
３      遅延回路
４      オンスイッチ回路
５      オフスイッチ回路
６      光センサー
７      ハイパスフィルター回路
８      オン・トリガー信号
９      オフ・トリガー信号
Ｄ      発光ダイオード
Ｕ      発光ユニット
Ｓ１    連続発光スイッチ
ＴＲ    トリガー部
ＴＲ１  第１のトリガー部
ＴＲ２  第２のトリガー部
Ｃ      カメラ
【図１】
2005017389.tif 000003
【図２】
2005017389.tif 000004
【図３】
2005017389.tif 000005
【図４】
2005017389.tif 000006
【図５】
2005017389.tif 000007
【図６】
2005017389.tif 000008
【図７】
2005017389.tif 000009